(57)【要約】【課題】メンテナンス性に優れ、電気接続箱の低コスト化及び小型化を図ることができるバスバーの端子保護構造を提供する。【解決手段】挟持端子２ａ及びタブ端子３ａを有し、電気接続箱のハウジング４に組み付けられるバスバー１の端子保護構造であって、ハウジング４が、挟持端子２ａが挿嵌される挟持端子挿入孔８ａ及びタブ端子３ａが挿嵌されるタブ端子挿入孔１０ａを有し、バスバー１がハウジング４に組み付けられた状態におけるタブ端子３ａの先端から挿入孔１０ａの挿入側開口までの距離Ｌ１ａが、挟持端子３ａの先端から挿入孔８ａの挿入側開口までの距離Ｌ２ａ以下とされ、挿入孔８ａの挿入側開口の縁部に当該開口を拡開せしめるテーパ状切欠き部１４が設けられ、それにより、挟持端子３ａの先端が挿入孔８ａに嵌入されるのに先んじてタブ端子３ａの先端が挿入孔１０ａに嵌入される。【選択図】  図２
2007110826.tif 000002
【特許請求の範囲】
【請求項１】
挟持端子及びタブ端子を有し、電気接続箱のハウジングに組み付けられるバスバーの端子保護構造であって、
前記ハウジングが、前記挟持端子が挿嵌される挟持端子挿入孔及び前記タブ端子が挿嵌されるタブ端子挿入孔を有し、
前記バスバーが前記ハウジングに組み付けられた状態における前記タブ端子の先端から前記タブ端子挿入孔の挿入側開口までの距離が、前記挟持端子の先端から前記挟持端子挿入孔の挿入側開口までの距離以下とされており、
前記挟持端子挿入孔の挿入側開口の縁部に当該開口を拡開せしめるテーパ状の切欠き部が設けられ、それにより、前記挟持端子の先端が前記挟持端子挿入孔に嵌入されるのに先んじて前記タブ端子の先端が前記タブ端子挿入孔に嵌入されることを特徴とするバスバーの端子保護構造。
【請求項２】
前記バスバーが、前記タブ端子を２以上有していることを特徴とする請求項１に記載のバスバーの端子保護構造。
【請求項３】
２つの前記タブ端子が、前記挟持端子を挟むように配置されていることを特徴とする請求項２に記載のバスバーの端子保護構造。
【請求項４】
前記バスバーが前記挟持端子を複数有し、当該複数の挟持端子が整列して配置されており、
２つの前記タブ端子が、前記複数の挟持端子の並び方向に当該複数の挟持端子を挟むように配置されていることを特徴とする請求項３に記載のバスバーの端子保護構造。
【発明の詳細な説明】
【技術分野】
【０００１】
本発明は、挟持端子及びタブ端子を有し、電気接続箱のハウジングに組み付けられるバスバーの端子保護構造に関する。
【背景技術】
【０００２】
一般に、自動車等の車両において電源の分配や信号の中継などをなす電気接続箱には、電源線やヒュージブルリンクなどの雌端子に接続されるタブ端子と、ヒューズやリレーなどの電気部品のタブ端子に接続される挟持端子と、を有するバスバーが備えられている。そして、電気接続箱のハウジングには、電源線の接続部やヒューズの装着部などに連通し、バスバーのタブ端子や挟持端子がそれぞれ挿嵌される挿入孔が設けられている。バスバーは、そのタブ端子や挟持端子をハウジングの挿入孔にそれぞれ挿嵌させながら、ハウジングに組み付けられる。
【０００３】
ここで、挟持端子は、一対の細幅の挟持片が同一平面上で対向して配置され、一対の挟持片間にヒューズのタブ端子などが挿入されるスロットが画成されており、比較的低強度であって外力により変形しやすい構造である。そのため、バスバーをハウジングに組み付ける際に挟持端子の先端が挿入孔の縁部に当接して挟持端子が変形する場合があり、その場合、ヒューズ等のタブ端子との接触圧力が減少して接触不良が生じる虞があった。
【０００４】
そこで従来、挟持端子の変形を引き起こすことなくバスバーを電気接続箱のハウジングにスムースに組み付けることができるバスバーの組付構造が提案されている（例えば特許文献１参照。）。
【０００５】
特許文献１に開示されたバスバーの組付構造においては、図４に示すように、バスバー１０１の上縁に複数の挟持端子１０３が整列して設けられ、これらの挟持端子１０３よりも所定量上方に突出するように複数のタブ端子１０４が設けられている。そして、電気接続箱のハウジング１０２には、ヒューズ装着部１０５に連通して各挟持端子１０３が挿嵌される挟持端子挿入孔（不図示）と、ハウジング１０２のヒュージブルリンク装着部１０７に連通して各タブ端子１０４が挿嵌されるタブ端子挿入孔（不図示）とが設けられており、タブ端子挿入孔の下端は、挟持端子挿入孔の下端と同じ高さに若しくは若干低く位置している。
【０００６】
上述のように構成されたバスバーの組付構造によれば、バスバー１０１がハウジング１０２に組み付けられるのに際して、挟持端子１０３の先端が挟持端子挿入孔に嵌入される前に、タブ端子１０４がタブ端子挿入孔に嵌入される。バスバー１０１は、各タブ端子１０４とタブ端子挿入孔とによって位置決めされ、これにより、挟持端子１０３は、その先端が挟持端子挿入孔の縁部に当接することなくスムースに挟持端子挿入孔に挿嵌される。
【０００７】
【特許文献１】特開２００５−１８５０３３号公報
【発明の開示】
【発明が解決しようとする課題】
【０００８】
しかしながら、特許文献１に開示されたバスバー組付構造では、挟持端子１０３の先端に先んじてタブ端子１０４の先端をタブ端子挿入孔１０８に嵌入するべく、タブ端子１０４を挟持端子１０３よりも高く形成している。従って、挟持端子１０３に接続されるヒューズ等は、タブ端子１０４に接続されるヒュージブルリンク等に比べて、ハウジング１０２の上部にあって奥まった箇所に配設されることとなり、消耗品であるヒューズ等の取り付け・取り外しといったメンテナンス作業に支障をきたす虞があった。
【０００９】
さらに、タブ端子１０４を高く形成する分、一枚の導電金属板を打ち抜き・折り曲げ加工して形成されるバスバー１０１の材料が余分に必要となってバスバー１０１の歩留りが低下すると共に、バスバー１０１が大きくなって電気接続箱の小型化に好ましくはなかった。
【００１０】
本発明は、上述した事情に鑑みてなされたものであり、その目的は、メンテナンス性に優れ、電気接続箱の低コスト化及び小型化を図ることができるバスバーの端子保護構造を提供することにある。
【課題を解決するための手段】
【００１１】
上記目的は、本発明に係る下記（１）〜（４）のバスバーの端子保護構造により達成される。
【００１２】
（１）挟持端子及びタブ端子を有し、電気接続箱のハウジングに組み付けられるバスバーの端子保護構造であって、
前記ハウジングが、前記挟持端子が挿嵌される挟持端子挿入孔及び前記タブ端子が挿嵌されるタブ端子挿入孔を有し、
前記バスバーが前記ハウジングに組み付けられた状態における前記タブ端子の先端から前記タブ端子挿入孔の挿入側開口までの距離が、前記挟持端子の先端から前記挟持端子挿入孔の挿入側開口までの距離以下とされており、
前記挟持端子挿入孔の挿入側開口の縁部に当該開口を拡開せしめるテーパ状の切欠き部が設けられ、それにより、前記挟持端子の先端が前記挟持端子挿入孔に嵌入されるのに先んじて前記タブ端子の先端が前記タブ端子挿入孔に嵌入されることを特徴とするバスバーの端子保護構造。
【００１３】
（２）前記バスバーが前記タブ端子を２以上有していることを特徴とする（１）に記載のバスバーの端子保護構造。
【００１４】
（３）２つの前記タブ端子が前記挟持端子を挟むように配置されていることを特徴とする（２）に記載のバスバーの端子保護構造。
【００１５】
（４）前記バスバーが前記挟持端子を複数有し、当該複数の挟持端子が整列して配置されており、
２つの前記タブ端子が、前記複数の挟持端子の並び方向に当該複数の挟持端子を挟むように配置されていることを特徴とする（３）に記載のバスバーの端子保護構造。
【００１６】
上記（１）の構成のバスバーの端子保護構造によれば、バスバーがハウジングに組み付けられた状態において、タブ端子の先端から当該タブ端子が挿嵌されているタブ端子挿入孔の挿入側開口までの距離が、挟持端子の先端から当該挟持端子が挿嵌されている挟持端子挿入孔の挿入側開口までの距離以下とされているので、バスバーをハウジングに組み付けるのに際して、挟持端子の先端は、タブ端子の先端がタブ端子挿入孔に嵌入されるのと同時若しくは先に挟持端子挿入孔に挿入されることとなるが、挟持端子挿入孔の挿入側開口の縁部に当該開口を拡開せしめるテーパ状の切欠き部が設けられているので、挟持端子の先端が挟持端子挿入孔に嵌入されるのに先んじてタブ端子の先端がタブ端子挿入孔に嵌入されることとなる。これにより、タブ端子とタブ端子挿入孔とによりバスバーを位置決めし、挟持端子をスムースに挟持端子挿入孔に挿嵌し、挟持端子の変形を防止する、即ち、挟持端子を保護することができる。
そして、本構成のバスバーの端子保護構造によれば、バスバーがハウジングに組み付けられた状態におけるタブ端子の先端からタブ端子挿入孔の挿入側開口までの距離が、挟持端子の先端から挟持端子挿入孔の挿入側開口までの距離以下であり、即ち、従来のように挟持端子に先んじてタブ端子を挿入孔に挿入するべくタブ端子を挟持端子よりも高く形成するものではなく、挟持端子の先端とタブ端子の先端とを揃えることもできる。これにより、挟持端子に接続される部品とタブ端子に接続される部品との高さを揃えることができ、メンテナンス性に優れる。
さらに、本構成のバスバーの端子保護構造によれば、上記のようにタブ端子を挟持端子よりも高く形成するものではないので、従来に比べてバスバーの材料を削減でき、バスバーを小型化し、ひいては電気接続箱の小型化を図ることができる。
【００１７】
上記（２）の構成のバスバーの端子保護構造によれば、バスバーが２以上のタブ端子を有しており、バスバーを位置決めする際に、一のタブ端子の捩れによるバスバーの位置ずれを他のタブ端子により矯正して、正確且つ強固にバスバーを位置決めすることができる。これにより、挟持端子をスムースに挟持端子挿入孔に挿嵌し、挟持端子の変形を防止する、即ち、挟持端子を保護することができる。
【００１８】
上記（３）又は（４）の構成のバスバーの端子保護構造によれば、例えば搬送時に他のバスバーと接触するなどハウジングへ組み付ける以前にバスバーに異物が接触する場合があるが、挟持端子を挟むように配置された２つのタブ端子により、これら２つのタブ端子の間隔よりも大きな異物（大きな外力を作用させ得る異物）が挟持端子に接触することを回避することができる。これにより、バスバーをハウジングへ組み付ける以前での挟持端子の変形を防止する、即ち、挟持端子を保護することができる。
【発明の効果】
【００１９】
以上述べたように、本発明によれば、メンテナンス性に優れ、電気接続箱の低コスト化及び小型化を図ることができるバスバーの端子保護構造を提供することができる。
【発明を実施するための最良の形態】
【００２０】
以下、本発明に係るバスバーの端子保護構造の好適な実施形態を図面に基づいて詳細に説明する。
【００２１】
図１は本発明のバスバーの端子保護構造に係る一実施形態の分解斜視図、図２は図１のＡ−Ａ線断面図、図３は図１のＢ−Ｂ線断面図である。
【００２２】
図１に示すように、本発明の一実施形態であるバスバーの端子保護構造は、電気接続箱のハウジング４に組み付けられるバスバー１の端子保護構造であって、このバスバー１は、一枚の導電金属板を打ち抜き・折り曲げ加工し、矩形板状の底壁部１ｃの両側縁に側壁部１ａ，１ｂがそれぞれ立設された断面略コ字状に形成されている。
【００２３】
バスバー１の一方の側壁部１ａ（図１において手前側の側壁部）の上縁には、２つの挟持端子２ａが整列して設けられ、これら２つの挟持端子２ａの並び方向に当該２つの挟持端子２ａを挟むようにタブ端子３ａが２つずつ、合計４つ設けられている。また、バスバー１の他方の側壁部１ｂ（図１において奥側の側壁部）の上縁には、４つの挟持端子２ｂ及びこれら４つの挟持端子２ｂより上方に突出した１つの挟持端子２ｃが整列して設けられ、５つの挟持端子２ｂ，２ｃの並び方向に当該５つの挟持端子２ｂ，２ｃを挟むようにタブ端子３ｂが１つずつ、合計２つ設けられている。
【００２４】
各挟持端子２ａ〜２ｃは、いずれも一対の細幅の挟持片５が同一平面上で対向して配置され、一対の挟持片５間にヒューズのタブ端子が挿入されるスロット６が画成されており、且つ、一対の挟持片５の先端部が互いに接近する方向に膨出した、所謂音叉型端子である。尚、本発明における挟持端子とは、上記の音叉型端子に限られず、例えば、一対の挟持片としての一対の圧接刃が同一平面上で対向して配置され、一対の圧接刃間に被覆電線の芯線が圧入されるスロットが画成されている、所謂圧接端子も含むものである。
【００２５】
ハウジング４には、図１及び図２に示すように、ハウジング４の上部に設けられたヒューズ装着部７に連通して各挟持端子２ａが挿嵌される挟持端子挿入孔８ａと、ハウジング４の上部に設けられたヒュージブルリンク装着部９に連通して各タブ端子３ａが挿嵌されるタブ端子挿入孔１０ａとが設けられている。挟持端子２ａの幅及び厚み方向に対応する挟持端子挿入孔８ａの内寸は、挟持端子２ａの幅及び厚みより僅かに大きく形成されており、また、タブ端子３ａの幅及び厚み方向に対応する挟持端子挿入孔１０ａの内寸は、タブ端子３ａの幅及び厚みより僅かに大きく形成されている。
【００２６】
そして、図２において二点鎖線で示すように、バスバー１がハウジング４に組み付けられた状態においては、各挟持端子２ａは挟持端子挿入孔８ａ内に収納され、ヒューズ装着部７に装着されたヒューズ（不図示）が、そのタブ端子を挟持端子挿入孔８ａ内に進入させて各挟持端子２ａのスロット６に挿入し、それにより各挟持端子２ａは前記ヒューズのタブ端子に接続する。一方、各タブ端子３ａは、その先端部をヒュージブルリンク装着部９に進入させて当該ヒュージブルリンク装着部９に装着されたヒュージブルリンク（不図示）の雌端子に接続する。
【００２７】
また、ハウジング図１及び図３に示すように、ハウジング４の上部に設けられたヒューズ装着部１１に連通して各挟持端子２ｂ，２ｃがそれぞれ挿嵌される挟持端子挿入孔８ｂ，８ｃと、ハウジング４の上部に設けられたヒュージブルリンク装着部１２に連通して各タブ端子３ｂが挿嵌されるタブ端子挿入孔１０ｂとが設けられている。挟持端子２ｂ，２ｃの幅及び厚み方向に対応する挟持端子挿入孔８ｂ，８ｃの内寸は、それぞれ挟持端子２ｂ，２ｃの幅及び厚みより僅かに大きく形成されており、また、タブ端子３ｂの幅及び厚み方向に対応する挟持端子挿入孔１０ｂの内寸は、タブ端子３ｂの幅及び厚みより僅かに大きく形成されている。
【００２８】
そして、図３において二点鎖線で示すように、バスバー１がハウジング４に組み付けられた状態において、各挟持端子２ｂ，２ｃは挟持端子挿入孔８ｂ，８ｃ内に収納され、ヒューズ装着部１１に装着されたヒューズ（不図示）が、そのタブ端子を挟持端子挿入孔８ｂ，８ｃ内に進入させて各挟持端子２ｂ，２ｃのスロット６に挿入し、それにより各挟持端子２ｂ，２ｃは前記ヒューズのタブ端子に接続する。一方、各タブ端子３ｂは、その先端部をヒュージブルリンク装着部１２に進入させて当該ヒュージブルリンク装着部１２に装着されたヒュージブルリンク（不図示）の雌端子に接続する。
【００２９】
ここで、バスバー１がハウジング４に組み付けられた状態でのタブ端子３ａ，３ｂの先端からタブ端子挿入孔１０ａ，１０ｂの挿入側開口までの距離は、挟持端子２ａ〜２ｃの先端から挟持端子挿入孔８ａ〜８ｃの挿入側開口までの距離以下とされている。
【００３０】
具体的には、図２に示すように、タブ端子３ａの先端からタブ端子挿入孔１０ａの挿入側開口までの距離Ｌ１ａは、挟持端子２ａの先端から挟持端子挿入孔８ａの挿入側開口までの距離Ｌ２ａと同等（Ｌ１ａ＝Ｌ２ａ）とされている。また、図３に示すように、タブ端子３ｂの先端からタブ端子挿入孔１０ｂの挿入側開口までの距離Ｌ１ｂは、挟持端子２ｂの先端から挟持端子挿入孔８ｂの挿入側開口までの距離Ｌ２ｂと同等（Ｌ１ｂ＝Ｌ２ｂ）とされ、挟持端子２ｂより若干長く形成されている挟持端子２ｃの先端から挟持端子挿入孔８ｃの挿入側開口までの距離Ｌ２ｃ未満（Ｌ１ｂ＜Ｌ２ｃ）とされている。そして、タブ端子３ａとタブ端子３ｂとは等しい長さに形成され、距離Ｌ１ａと距離Ｌ１ｂとは同等（Ｌ１ａ＝Ｌ１ｂ）とされている。
【００３１】
従って、バスバー１をハウジング４に組み付けるのに際して、挟持端子２ａ〜２ｃの先端は、タブ端子３ａ，３ｂの先端がタブ端子挿入孔１０ａ，１０ｂに嵌入されるのと同時若しくは先に挟持端子挿入孔８ａ〜８ｃに挿入されることとなる。そこで、本実施形態においては、各挟持端子挿入孔８ａ〜８ｃの挿入側開口の縁部に、当該開口を拡開せしめるテーパ状の切欠き部１４が設けられている。
【００３２】
これらの切欠き部１４は、各挟持端子２ａ〜２ｃについての距離Ｌ２ａ〜Ｌ２ｃとタブ端子３ａ，３ｂについての距離Ｌ１ａ，Ｌ１ｂ（＝Ｌ１ａ）との相関において適宜な深さに設定されている。例えば、挟持端子挿入孔８ｃに設けられた切欠き部１４は、挟持端子２ｃについての距離Ｌ２ｃとタブ端子３ｂについての距離Ｌ１ｂとの差よりも大きい深さを有し、また、挟持端子挿入孔８ａ，８ｂに設けられた切欠き部１４は、挟持端子２ａ，２ｂについての距離Ｌ２ａ，Ｌ２ｂとタブ端子３ａ，３ｂについての距離Ｌ１ａ，Ｌ１ｂとが同等であるので、僅かな深さをもっていれば足りる。
【００３３】
これらの切欠き部１４により、タブ端子３ａ，３ｂの先端がタブ端子挿入孔１０ａ，１０ｂに嵌入された際に、挟持端子２ａ〜２ｃの先端は、挟持端子挿入孔８ａ〜８ｃを画成している隔壁に接触することなく、単に挿入されている状態にある。つまり、挟持端子２ａ〜２ｃの先端が挟持端子挿入孔８ａ〜８ｃに嵌入されるのに先んじてタブ端子３ａ，３ｂの先端がタブ端子挿入孔１０ａ，１０ｂに嵌入される。
【００３４】
上述した本実施形態のバスバーの端子保護構造によれば、バスバー１がハウジング４に組み付けられた状態において、タブ端子３ａ，３ｂの先端からタブ端子挿入孔１０ａ，１０ｂの挿入側開口までの距離Ｌ１ａ，Ｌ１ｂが、挟持端子２ａ〜２ｃの先端から挟持端子挿入孔８ａ〜８ｃの挿入側開口までの距離Ｌ２ａ〜Ｌ２ｃ以下とされているので、バスバー１をハウジング４に組み付けるのに際して、挟持端子２ａ〜２ｃの先端は、タブ端子３ａ，３ｂの先端がタブ端子挿入孔１０ａ，１０ｂに嵌入されるのと同時若しくは先に挟持端子挿入孔８ａ〜８ｃに挿入されることとなるが、挟持端子挿入孔８ａ〜８ｃの挿入側開口の縁部に当該開口を拡開せしめるテーパ状の切欠き部１４が設けられているので、挟持端子２ａ〜２ｃの先端が挟持端子挿入孔８ａ〜８ｃに嵌入されるのに先んじてタブ端子３ａ，３ｂの先端がタブ端子挿入孔１０ａ，１０ｂに嵌入されることとなる。これにより、タブ端子３ａ，３ｂとタブ端子挿入孔１０ａ，１０ｂとによりバスバー１を位置決めし、挟持端子２ａ〜２ｃをスムースに挟持端子挿入孔８ａ〜８ｃに挿嵌させ、挟持端子２ａ〜２ｃの変形を防止する、即ち、挟持端子２ａ〜２ｃを保護することができる。
【００３５】
また、バスバー１がハウジング４に組み付けられた状態におけるタブ端子３ａ，３ｂの先端からタブ端子挿入孔１０ａ，１０ｂの挿入側開口までの距離Ｌ１ａ，Ｌ１ｂが、挟持端子２ａ〜２ｃの先端から挟持端子挿入孔８ａ〜８ｃの挿入側開口までの距離Ｌ２ａ〜Ｌ２ｃ以下であり、即ち、従来のように挟持端子の先端に先んじてタブ端子の先端を挿入孔に嵌入するべくタブ端子を挟持端子よりも高く形成するものではなく、挟持端子２ａ，２ｂの先端とタブ端子３ａ，３ｂの先端とを揃えることができる。これにより、挟持端子２ａ，２ｂに接続されるヒューズとタブ端子３ａ，３ｂに接続されるヒュージブルリンクとの高さを揃えることができ、メンテナンス性に優れる。
【００３６】
さらに、上記のようにタブ端子３ａ，３ｂを挟持端子２ａ〜２ｃよりも高く形成するものではないので、従来に比べてバスバー１の材料を削減でき、バスバー１を小型化し、ひいては電気接続箱の小型化を図ることができる。
【００３７】
さらに、バスバー１のタブ端子３ａ，３ｂはそれぞれ少なくとも２つ配置されており、バスバー１を位置決めする際に、一のタブ端子の捩れによるバスバー１の位置ずれを他のタブ端子により矯正して、正確且つ強固にバスバー１を位置決めすることができる。これにより、挟持端子２ａ〜２ｃをスムースに挟持端子挿入孔８ａ〜８ｃに挿嵌させ、挟持端子２ａ〜２ｃの変形を防止する、即ち、挟持端子２ａ〜２ｃを保護することができる。
【００３８】
さらに、例えば搬送時に他のバスバーと接触するなどハウジングへ組み付ける以前にバスバーに異物が接触する場合があるが、挟持端子２ａを挟むように配置された２つのタブ端子３ａにより、これら２つのタブ端子３ａの間隔よりも大きな異物（大きな外力を作用させ得る異物）が挟持端子２ａに接触することを回避することができ、また、挟持端子２ｂ，２ｃを挟むように配置された２つのタブ端子３ｂにより、これら２つのタブ端子３ｂの間隔よりも大きな異物（大きな外力を作用させ得る異物）が挟持端子２ｂ，２ｃに接触することを回避することができる。これにより、バスバー１をハウジング４へ組み付ける以前での挟持端子２ａ〜２ｃの変形を防止する、即ち、挟持端子２ａ〜２ｃを保護することができる。
【００３９】
尚、本発明は、上述した実施形態に限定されるものではなく、適宜、変形、改良等が可能である。
【００４０】
例えば、上述した実施形態では、挟持端子挿入孔８ａ〜８ｃの挿入側開口の縁部に設けられるテーパ状切欠き部１４を直線状としているが、これに限定されず、当該開口を拡開せしめる限りにおいてテーパ状切欠き部１４を円弧状やその他の形状としてもよい。
【図面の簡単な説明】
【００４１】
【図１】本発明のバスバーの端子保護構造に係る一実施形態の分解斜視図である。
【図２】図１のＡ−Ａ線断面である。
【図３】図１のＢ−Ｂ線断面である。
【図４】従来のバスバーの組付構造を示す分解斜視図である。
【符号の説明】
【００４２】
１              バスバー
２ａ〜２ｃ      挟持端子
３ａ，３ｂ      タブ端子
４              ハウジング
８ａ〜８ｃ      挟持端子挿入孔
１０ａ，１０ｂ  タブ端子挿入孔
１４            テーパ切欠き部
【図１】
2007110826.tif 000003
【図２】
2007110826.tif 000004
【図３】
2007110826.tif 000005
【図４】
2007110826.tif 000006